(57)【要約】【課題】ユーザがワイヤレスヘッドフォンを用いて楽曲を試聴して、その試聴した楽曲の楽曲データについてオンライン購入が行えるようにする。【解決手段】無線通信装置はワイヤレスヘッドフォンと無線通信する無線通信手段と、音声データを無線通信手段からワイヤレスヘッドフォンへストリーミングで送信させるとともに、その音声データを取得するための位置情報を無線通信手段からワイヤレスヘッドフォンへ送信させる送信制御手段とを有する。ワイヤレスヘッドフォンは無線通信装置と無線通信する無線通信手段と、無線通信手段が受信した音声データを用いて楽曲のストリーミング再生を行う再生制御手段と、無線通信手段が受信した位置情報を記憶するデータ記憶手段とを有する。【選択図】図１
2008252453.tif 000002
【特許請求の範囲】
【請求項１】
無線通信装置と、該無線通信装置と通信リンクを接続して無線通信するワイヤレスヘッドフォンとを有し、
前記無線通信装置は、前記ワイヤレスヘッドフォンと通信リンクを接続して無線通信する第１の無線通信手段と、
音声データを前記第１の無線通信手段から前記ワイヤレスヘッドフォンへストリーミングで送信させるとともに、該音声データを取得するための位置情報を前記第１の無線通信手段から前記ワイヤレスヘッドフォンへ送信させる送信制御手段とを有し、
前記ワイヤレスヘッドフォンは、前記無線通信装置と通信リンクを接続して無線通信する第２の無線通信手段と、
該第２の無線通信手段が受信した前記音声データのストリーミング再生を行う再生制御手段と、
前記第２の無線通信手段が受信した前記位置情報を記憶するデータ記憶手段とを有する無線通信システム。
【請求項２】
ワイヤレスヘッドフォンと通信リンクを接続して無線通信する無線通信手段と、
音声データを前記無線通信手段から前記ワイヤレスヘッドフォンへストリーミングで送信させるとともに、該音声データを取得するための位置情報を前記無線通信手段から前記ワイヤレスヘッドフォンへ送信させる送信制御手段とを有する無線通信装置。
【請求項３】
前記送信制御手段は、前記位置情報を前記音声データに関連する関連情報とともに前記無線通信手段に送信させる請求項２記載の無線通信装置。
【請求項４】
前記送信制御手段は、前記第１の無線通信手段がストリーミングで送信する前記音声データの変更があったときに、該変更された前記音声データを取得するための位置情報を前記無線通信手段によって前記ワイヤレスヘッドフォンに送信させる請求項２または３記載の無線通信装置。
【請求項５】
前記送信制御手段は、第１のプロファイルによる無線通信によって前記音声データを送信させ、第２のプロファイルによる無線通信によって前記関連情報および前記位置情報を送信させる請求項３記載の無線通信装置。
【請求項６】
前記無線通信手段は、ＡＶＲＣＰ（Audio/Video  Remote  Control  Profile）によるＢｌｕｅｔｏｏｔｈ（登録商標）通信を行い、
前記送信制御手段は、前記ＡＶＲＣＰによるＢｌｕｅｔｏｏｔｈ通信で前記音声データを取得するための位置情報を送信させる請求項２〜５のいずれか一項記載の無線通信装置。
【請求項７】
無線通信装置と通信リンクを接続して無線通信する無線通信手段と、
前記無線通信手段が受信した、音声データのストリーミング再生を行う再生制御手段と、
前記無線通信手段が受信した、該音声データを取得するための位置情報を記憶するデータ記憶手段とを有するワイヤレスヘッドフォン。
【請求項８】
前記無線通信手段が前記位置情報を受信するたびに、前記無線通信手段が受信した前記位置情報を前記データ記憶手段に記憶させる記憶制御手段を更に有する請求項７記載のワイヤレスヘッドフォン。
【請求項９】
前記無線通信手段は、ＡＶＲＣＰ（Audio/Video  Remote  Control  Profile）によるＢｌｕｅｔｏｏｔｈ（登録商標）通信を行い、前記ＡＶＲＣＰによるＢｌｕｅｔｏｏｔｈ通信で前記位置情報を受信する請求項７または８記載のワイヤレスヘッドフォン。
【発明の詳細な説明】
【技術分野】
【０００１】
本発明は、音声データを送信する無線通信装置、ストリーミング再生を行うワイヤレスヘッドフォンおよびこれらを備えた無線通信システムに関する。
【背景技術】
【０００２】
近年、メモリやＨＤＤ（Hard  Disk  Drive）等の記憶媒体に記憶された楽曲データを再生する機能を備えた携帯型音楽プレーヤが広く普及している。中でも、Ｂｌｕｅｔｏｏｔｈ（登録商標）等の無線通信モジュールを搭載した携帯型音楽プレーヤも開発されている。この種の携帯型音楽プレーヤは、ワイヤレスヘッドフォンを接続して楽曲を聴くことができるようになっている。
【０００３】
この種の携帯型音楽プレーヤを用いて楽曲を聴く場合、ユーザは、楽曲データを提供するインターネット上のwebサイト等から、聞きたい楽曲の楽曲データを購入等する（このような楽曲データの購入をオンライン購入ともいう）ことが一般的となりつつある。
【０００４】
また、楽曲データを提供するwebサイトの中には、試聴用の楽曲データをユーザに提供しているものもある。ユーザはそのwebサイトから試聴用の楽曲データ（ユーザが聴くことができる時間や回数に制限のある楽曲データをいう）をダウンロードして自ら楽曲を試聴するほか、友人等他の人がダウンロードした楽曲データを用い、ワイヤレスヘッドフォンを用いて楽曲を試聴することもできる。
【０００５】
そして、試聴用の楽曲データには、オンライン購入のためのＵＲＬ(Uniform  Resource  Locator)などの情報が含まれていることもあり、ユーザはそのＵＲＬを用いて、試聴した楽曲の楽曲データのオンライン購入をすることもできる。
【０００６】
ところで、従来、楽曲や映像の試聴に関して、次のようなメディア試視聴サービスシステムに関する技術があった（例えば、特許文献１参照）。このメディア試視聴サービスシステムでは、ユーザが店頭に置かれた配信子端末に再生端末を接続して試視聴したいメディアを選択すると、配信親端末から配信子端末に配信されているメディアのうち、選択されたメディアがデータストリームとして再生端末に配信されるようになっている。
【特許文献１】特開２００２−１１７３２２号公報
【発明の開示】
【発明が解決しようとする課題】
【０００７】
上記した従来技術によれば、ユーザは再生端末を配信子端末に接続し、試視聴したいメディアを選択することによって、楽曲を試聴することができる。また、ユーザは試聴した楽曲を気に入った場合、購入手続を行えば楽曲データを再生端末に保存することもできる。
【０００８】
しかし、従来技術では、ユーザは試聴の際および購入の際のいずれにおいても再生端末を持って店頭まで出向かねばならないため、従来技術は、ユーザにとって必ずしも便利なものとはいえない。
【０００９】
とりわけ、近年、ユーザが携帯型音楽プレーヤを用いて楽曲を聴くときは楽曲データをwebサイトから取得することが主流となりつつある。しかも、他人が取得した楽曲データ（このデータは携帯型音楽プレーヤに保存されている）を用い、ユーザがワイヤレスヘッドフォンを用いて楽曲を試聴することも考えられる。
【００１０】
このような場合に、オンライン購入等をすることなくワイヤレスヘッドフォンで試聴しただけのユーザも、試聴した楽曲の楽曲データをwebサイトから購入できるようにすることはユーザの利便性向上に大きく貢献できるものである。
【００１１】
そこで、本発明は上記課題を解決するためになされたもので、ユーザがワイヤレスヘッドフォンを用いて楽曲を試聴して、その試聴した楽曲の楽曲データについてのオンライン購入が行える情報を取得できるようにした無線通信装置、ワイヤレスヘッドフォンおよび無線通信システムを提供することを目的とする。
【課題を解決するための手段】
【００１２】
上記課題を解決するため、本発明は、無線通信装置と、その無線通信装置と通信リンクを接続して無線通信するワイヤレスヘッドフォンとを有し、無線通信装置は、ワイヤレスヘッドフォンと通信リンクを接続して無線通信する第１の無線通信手段と、音声データを第１の無線通信手段からワイヤレスヘッドフォンへストリーミングで送信させるとともに、その音声データを取得するための位置情報を第１の無線通信手段からワイヤレスヘッドフォンへ送信させる送信制御手段とを有し、ワイヤレスヘッドフォンは、無線通信装置と通信リンクを接続して無線通信する第２の無線通信手段と、その第２の無線通信手段が受信した音声データのストリーミング再生を行う再生制御手段と、第２の無線通信手段が受信した位置情報を記憶するデータ記憶手段とを有する無線通信システムを特徴とする。
【００１３】
また、本発明は、ワイヤレスヘッドフォンと通信リンクを接続して無線通信する無線通信手段と、音声データを無線通信手段からワイヤレスヘッドフォンへストリーミングで送信させるとともに、その音声データを取得するための位置情報を無線通信手段からワイヤレスヘッドフォンへ送信させる送信制御手段とを有する無線通信装置を提供する。
【００１４】
さらに、本発明は、無線通信装置と通信リンクを接続して無線通信する無線通信手段と、無線通信手段が受信した、音声データのストリーミング再生を行う再生制御手段と、無線通信手段が受信した、音声データを取得するための位置情報を記憶するデータ記憶手段とを有するワイヤレスヘッドフォンを提供する。
【発明の効果】
【００１５】
以上詳述したように、本発明によれば、ユーザがワイヤレスヘッドフォンを用いて楽曲を試聴して、その試聴した楽曲の楽曲データについてのオンライン購入が行える情報を取得できるようにした無線通信装置、ワイヤレスヘッドフォンおよび無線通信システムが得られる。
【発明を実施するための最良の形態】
【００１６】
以下、本発明の実施の形態について説明する。なお、同一要素には同一符号を用い、重複する説明は省略する。
【００１７】
まず、図１を参照して、本発明の実施の形態に係る無線通信システム１の全体構成について説明する。図１は本発明の実施の形態に係る無線通信システム１の全体構成を示すブロック図である。なお、本実施形態に登場する曲名及びアーチスト名はすべて架空のものである。
【００１８】
無線通信システム１は携帯型音楽再生装置（携帯型音楽プレーヤともいい、第１の無線通信装置に相当する）１０と、ワイヤレスヘッドフォン２０とを有している。
【００１９】
携帯型音楽再生装置１０は、ＣＰＵ（Central  Processing  Unit、送信制御手段）１１と、入力部１２と、出力部１３と、情報記憶部１４および無線通信部（第１の無線通信手段）１５を有している。
【００２０】
携帯型音楽再生装置１０は例えばＭＰ３プレーヤ等の携帯型オーディオプレーヤやオーディオプレーヤの機能を備える携帯電話又はＰＤＡ等である。携帯型音楽再生装置１０はユーザの操作に応じて楽曲データを再生することができる。
【００２１】
ＣＰＵ１１は、携帯型音楽再生装置１０の中央演算装置であり、入力部１２、出力部１３、情報記憶部１４及び無線通信部１５の制御を行う。ＣＰＵ１１は情報記憶部１４に記憶されている楽曲データ（音声データに相当し、詳しくは後述する）を再生／デコードして音声信号を生成し、生成した音声信号を出力部１３から外部に出力させる。
【００２２】
入力部１２はユーザからの指示やコマンドの入力操作が行われる部分であり、具体的にはボタンや十字キー等である。出力部１３は再生の対象となる楽曲の選択画面などをユーザに提示する部分であり、具体的には液晶ディスプレイ等である。また、出力部１３は再生される音声信号を外部（図示しないヘッドホンやスピーカ等）に出力する部分でもあり、具体的にはステレオミニジャック等の出力端子である。
【００２３】
情報記憶部１４は携帯型音楽再生装置１０の制御プログラムや、楽曲データ（例えば、ＷＡＶ形式データ、ＭＰ３形式データ、ＷＭＡ形式データ等）を記憶している部分である。
【００２４】
また、情報記憶部１４は記憶している楽曲データによって再生される楽曲の曲名やアーチスト名といった楽曲に関連する楽曲関連情報、さらには、楽曲データのオンライン購入を行うためのＵＲＬ等の情報が記憶される。情報記憶部１４では、楽曲データとその楽曲データの楽曲関連情報とをそれぞれの楽曲データ毎に関連付けて記憶している（図示せず）。情報記憶部１４としては、例えば、フラッシュメモリやハードディスクドライブ（ＨＤＤ：Hard  Disk  Drive）が用いられる。
【００２５】
無線通信部１５はワイヤレスヘッドフォン２０との間で通信リンクを接続して無線通信を行う部分であり、具体的にはＢｌｕｅｔｏｏｔｈ（登録商標）や無線ＬＡＮ（Local  Area  Network）、ＩｒＤＡ（Infrared  Data  Association）等にしたがい作動するモジュールである。本実施の形態では、無線通信部１５がＢｌｕｅｔｏｏｔｈにしたがい作動する場合を想定している。
【００２６】
また、無線通信部１５は、ワイヤレスヘッドフォン２０に対し、試聴用の楽曲データと試聴した楽曲の楽曲データについてオンライン購入を行うためのＵＲＬ（楽曲データ購入用ＵＲＬともいう）とを送信する。楽曲データ購入用ＵＲＬは楽曲データを提供するｗｅｂサイトやサーバといった外部装置のアドレスを示し、楽曲データを取得するための位置情報である。
【００２７】
この場合、無線通信部１５がワイヤレスヘッドフォン２０に対して試聴用の楽曲データを送信するためのプロファイルとして、Ａ２ＤＰ（Advanced  Audio  Distribution  Profile、第１のプロファイル）がある。また、楽曲データ購入用ＵＲＬを送信する用途に利用できるＢｌｕｅｔｏｏｔｈプロファイルとして、後述するＡＶＲＣＰ（Audio/Video  Remote  Control  Profile、第２のプロファイル）がある。特に、ＡＶＲＣＰの拡張機能であるメタデータ転送（Metadata  Transfer)を利用することができる。
【００２８】
ここで、送信される楽曲関連情報および楽曲データ購入用ＵＲＬは例えば、図２（ａ）に示すように曲名、アーチスト名とともに、ＵＲＬがこれらと独立した別パラメータとなるようにして設定することができる（例えば、曲名：砂の嵐、アーチスト名：田中一郎とともに、楽曲データ購入用ＵＲＬとして、http://music.shop/ID=xxx1234が独立したパラメータとなっている）。この場合、メタデータ転送で用いられるコマンド（ＧＥＴコマンド）を拡張して、ＵＲＬを曲名およびアーチスト名と独立したパラメータに設定する。
【００２９】
また、楽曲関連情報およびＵＲＬは図２（ｂ）に示すように、ＵＲＬが曲名の一部となるようにして設定することができる（例えば、曲名：砂の嵐（http://music.shop/ID=xxx1234）、アーチスト名：田中一郎とされ、ＵＲＬが曲名の一部となっている。この場合、曲名やアーチスト名は既存のコマンドで送信できるので、メタデータ転送で用いられるコマンド（ＧＥＴコマンド）を拡張せずに楽曲関連情報およびＵＲＬを送信することができる。なお、楽曲関連情報には、アルバム名や楽曲のジャンル、演奏時間などの情報を含めることができる。
【００３０】
ワイヤレスヘッドフォン２０はＣＰＵ２１（再生制御手段、記憶制御手段）と、入力部２２と、出力部２３と、情報記憶部（記憶手段）２４および無線通信部（第２の無線通信手段）２５を有している。ワイヤレスヘッドフォン２０は、携帯型音楽再生装置１０から送信される楽曲データを用いて後述するストリーミング再生を行える。ただし、ワイヤレスヘッドフォン２０は、携帯型音楽再生装置１０から送信される楽曲データを保存することはできないものとなっている。
【００３１】
ＣＰＵ２１は、ワイヤレスヘッドフォン２０の中央演算装置であり、入力部２２、出力部２３、情報記憶部２４及び無線通信部２５の制御を行う。ＣＰＵ２１は、無線通信部２５が楽曲データを受信する受信動作と並行して、無線通信部２５が受信しているその楽曲データを再生／デコードして音声信号を生成し、出力部２３から音声を出力させるストリーミング再生を行う。
【００３２】
入力部２２は、ユーザによる入力操作が行われる部分であり、具体的にはボタンやスイッチ等である。出力部２３はストリーミング再生によって得られる音声信号を用いて音声を出力し、楽曲を再生する部分であり、具体的にはイヤフォンやスピーカである。
【００３３】
情報記憶部２４はワイヤレスヘッドフォン２０の制御プログラムや、無線通信部２５によって受信した楽曲関連情報およびＵＲＬなどを記憶しているデータ記憶手段である。情報記憶部２４は具体的にはフラッシュメモリ等である。
【００３４】
無線通信部２５は、携帯型音楽再生装置１０との間で無線通信を行う部分であり、具体的にはＢｌｕｅｔｏｏｔｈや無線ＬＡＮ、ＩｒＤＡ等にしたがい作動するモジュールである。本実施の形態では、無線通信部２５がＢｌｕｅｔｏｏｔｈにしたがい作動する場合を想定している。
【００３５】
続いて、図３〜図５を参照して、本実施形態に係る無線通信システム１の動作について説明する。図３は携帯型音楽再生装置１０の動作を示すフローチャートである。また、図４は無線通信システム１を構成する携帯型音楽再生装置１０と、ワイヤレスヘッドフォン２０とで行われるデータ送信の様子を模式的に示した図である。図５は、ワイヤレスヘッドフォン２０の動作を示すフローチャートである。
【００３６】
また、本実施の形態では、携帯型音楽再生装置１０の無線通信部１５とワイヤレスヘッドフォン２０の無線通信部２５とが共にＢｌｕｅｔｏｏｔｈにしたがい作動するモジュールであることを前提として説明する。
【００３７】
初期状態において携帯型音楽再生装置１０の無線通信部１５とワイヤレスヘッドフォン２０の無線通信部２５は互いに能力情報の交換およびリンクキー交換等の登録作業を済ませており、Ａ２ＤＰおよびＡＶＲＣＰに従ったデータ通信を開始できるものとする
【００３８】
まず、携帯型音楽再生装置１０の動作について説明する。携帯型音楽再生装置１０はワイヤレスヘッドフォン２０との無線による接続動作を実行する（Ｓ１０１）。具体的には、携帯型音楽再生装置１０の無線通信部１５とワイヤレスヘッドフォン２０の無線通信部２５との間において、Ｂｌｕｅｔｏｏｔｈ（登録商標）の接続手順に従い次の処理が実行される。すなわち、無線通信部１５と無線通信部２５とがインクワイアリ・サービス探索を経て無線リンクを確立し、論理チャネルを構築した上で、Ａ２ＤＰおよびＡＶＲＣＰプロファイルの接続を確立する。
【００３９】
こうして、携帯型音楽再生装置１０とワイヤレスヘッドフォン２０との間でペアリングが完了する。なお、ワイヤレスヘッドフォン２０との接続処理を行う際に携帯型音楽再生装置１０が楽曲データを再生していてもよく、携帯型音楽再生装置１０がワイヤレスヘッドフォン２０との接続処理が行われた後に楽曲データを再生してもよい。ただし、楽曲データが再生されていない状態では後続の動作は実行されないものとする。
【００４０】
また、後述するが、Ｓ１０１の接続動作は携帯型音楽再生装置１０側から開始しても良いし、ワイヤレスヘッドフォン２０側から開始してもよい。
【００４１】
なお、ＡＶＲＣＰは、ＡＶ機器のリモコン機能を実現するためのプロファイルであり、例えば、再生、停止、早送り等のコマンドを送信することができる。また、ここでは、メタデータを送信するための機能も定められているものとする。本実施の形態では、携帯型音楽再生装置１０は、メタデータの転送機能により、楽曲関連情報および楽曲データ購入用ＵＲＬを送信する。
【００４２】
続いて、携帯型音楽再生装置１０では、ＣＰＵ１１の指示にしたがい、無線通信部１５が曲名、アーチスト名といった楽曲関連情報および楽曲データ購入用ＵＲＬを含む文字列情報をワイヤレスヘッドフォン２０に送信する（Ｓ１０２）。ここでは、図４に示す文字列情報の送信ｄ１が行われる。
【００４３】
次に、携帯型音楽再生装置１０では、ＣＰＵ１１の指示にしたがい、無線通信部１５が楽曲データをストリーミングで送信する（Ｓ１０３）。この場合、ＣＰＵ１１が再生している楽曲の楽曲データをＳＢＣ等のＡ２ＤＰ仕様に準拠したコーデックを用いて符号化し、無線通信部１５が符号化されたデータを無線通信部２０４に送信する。ここでは、図４に示す楽曲データの送信ｄ２が行われる。なお、Ｓ１０２の動作とＳ１０３の動作は並行して実行してもよい。
【００４４】
そして、携帯型音楽再生装置１０では、入力部１２を用いてユーザが終了指示を出したかどうかをＣＰＵ１１が判定する（Ｓ１０４）。終了指示が出されたときは後述するＳ１０５に動作を進める。終了指示が出されていなければＣＰＵ１１がＳ１０３に動作を戻す。終了指示は、例えば、楽曲データの再生中にユーザがその再生を停止させる場合に出される。Ｓ１０５では、ＣＰＵ１１が無線通信部１５に指示して、携帯型音楽再生装置１０とワイヤレスヘッドフォン２０との接続を終了する。
【００４５】
続いて、ワイヤレスヘッドフォン２０の動作について説明する。ワイヤレスヘッドフォン２０では、無線通信部２５が携帯型音楽再生装置１０との接続処理を開始する（Ｓ２０１）。具体的には、携帯型音楽再生装置１０の無線通信部１５からの接続要求を受け、通信リンクを確立する。こうして、携帯型音楽再生装置１０とワイヤレスヘッドフォン２０との間でペアリングが完了する。このＳ２０１は上述したＳ１０１に対応している。なお、Ｂｌｕｅｔｏｏｔｈ（登録商標）により、ワイヤレスヘッドフォン２０側から接続要求を出すこともできる。
【００４６】
次に、無線通信部２５が携帯型音楽再生装置１０から送信される文字列情報をメタデータ転送を用いて受信する一方、ＣＰＵ２１が記憶制御手段としての動作を行い、受信した文字列情報を情報記憶部２４に記憶させる（Ｓ２０２）。Ｓ２０２は上述したＳ１０２に対応している。
【００４７】
さらに、ワイヤレスヘッドフォン２０では、ＣＰＵ２１が無線通信部２５の受信動作と並行して、無線通信部２５が受信している楽曲データを順次デコードして音声信号を生成し、出力部２３から音声を出力させるストリーミング再生を行う（Ｓ２０３）。このストリーミング再生が行われることによって、ワイヤレスヘッドフォン２０を用いるユーザｕ（図４参照）が出力部２３から出力される楽曲を試聴することができる。Ｓ２０３は上述したＳ１０３に対応している。
【００４８】
そして、ワイヤレスヘッドフォン２０では、入力部２２を用いてユーザｕが終了指示を出したかどうかをＣＰＵ２１が判定する（Ｓ２０４）。終了指示が出されたときは後述するＳ２０５に動作を進める。終了指示が出されていなければＳ２０３に動作を戻す。終了指示は、例えば、楽曲の試聴中にユーザｕがその試聴を停止させる場合に出される。Ｓ２０５では、ＣＰＵ２１が無線通信部２５に指示して、ワイヤレスヘッドフォン２０と携帯型音楽再生装置１０との接続を終了する。
【００４９】
以上のように、無線通信システム１では、ワイヤレスヘッドフォン２０を用いるユーザｕは楽曲の試聴に先立って、その楽曲の曲名やアーチスト名といった楽曲関連情報とともに楽曲データ購入用ＵＲＬを含む文字列情報を取得することができる。
【００５０】
取得した文字列情報はＣＰＵ２１が情報記憶部２４に記憶させている。そのため、ユーザｕは取得した文字列情報をファイルとして保存しておき、ＢｌｕｅｔｏｏｔｈのＦＴＰ（File  Transfer  Profile）を用いて図示しないパーソナルコンピュータや、ＰＤＡ（Personal  Digital  Assistants）、さらには携帯電話機といった別の装置に転送することができる。また、取得した文字列情報はワイヤレスヘッドフォン２０に着脱可能なＳＤカード等のメモリカードを用いて別の装置に保存することもできる。
【００５１】
したがって、ワイヤレスヘッドフォン２０のユーザｕは、そのそれぞれが個々に利用可能なインターネット接続環境（例えばインターネットに接続可能なパーソナルコンピュータ）を用い、取得した文字列情報のうちの楽曲データ購入用ＵＲＬを利用してｗｅｂサイト、サーバといった楽曲データを提供する外部装置に接続することができる。そして、ユーザｕは試聴した楽曲の楽曲データについて、オンライン購入をすることが可能となる。このように、無線通信システム１は、ワイヤレスヘッドフォン２０のユーザｕにとって利便性の高いものとなっている。
【００５２】
なお、ユーザｕは取得した文字列情報を用いてｗｅｂサイトに接続するとき、上述した手段とは別の手段を用いてもよい。
【００５３】
また、無線通信部１５，２５がＡＶＲＣＰプロファイルに対応したＢｌｕｅｔｏｏｔｈ（登録商標）による無線通信を行うようになっている。そのため、一つの接続で、携帯型音楽再生装置１０とワイヤレスヘッドフォン２０との間における各種データの送受信及びワイヤレスヘッドフォン２０から携帯型音楽再生装置１０への再生コマンドの送信が可能となっている。
【００５４】
（変形例）
上記の実施形態では、ユーザｕが試聴する楽曲は携帯型音楽再生装置１０とワイヤレスヘッドフォン２０との１回の接続あたり一曲だけの場合を想定している。ユーザｕは１回の接続で複数の楽曲を試聴することも考えられる。その場合には、携帯型音楽再生装置１０が楽曲の変更をトリガとして新たな文字列情報を送信し、ワイヤレスヘッドフォン２０が各楽曲の文字列情報を保持することが望ましい。
【００５５】
この場合、携帯型音楽再生装置１０とワイヤレスヘッドフォン２０はそれぞれ図６，７に示すフローチャートに沿って動作を実行することができる。なお、図６，７に示すフローチャートはそれぞれ図３，５に示すフローチャートと一部共通しているので、以下の説明は、相違する動作を中心に説明し、共通する動作については説明を省略ないし簡略化する。
【００５６】
携帯型音楽再生装置１０はＳ１０１からＳ１０３までを図３に示すフローチャートと同様にして実行した後、Ｓ１０４を実行する。ここで、終了指示が出されたときはＳ１０５に動作を進める。終了指示が出されていなければＣＰＵ１１がＳ１０６に動作を進める。
【００５７】
ＣＰＵ１１はＳ１０６で楽曲の変更（楽曲データの変更）があったかどうかを判定する。ＣＰＵ１１は楽曲の変更があったときはＳ１０７に動作を進める。楽曲の変更がなければＳ１０３に動作を戻す。Ｓ１０７では、ＣＰＵ１１が無線通信部１５に指示して、変更後の楽曲について、楽曲関連情報および楽曲データ購入用ＵＲＬを含む文字列情報をワイヤレスヘッドフォン２０に送信する。ＣＰＵ１１はＳ１０７の動作を実行したのち、動作をＳ１０３に戻す。
【００５８】
次に、ワイヤレスヘッドフォン２０はＳ２０１からＳ２０３までを図５に示すフローチャートと同様にして実行した後、Ｓ２０４を実行する。ここで、終了指示が出されたときはＳ２０５に動作を進める。終了指示が出されていなければＣＰＵ２１がＳ２０６に動作を進める。
【００５９】
ＣＰＵ２１はＳ２０６で文字列情報を受信したかどうかを判定する。ＣＰＵ２１は文字列情報を受信したときはＳ２０７に動作を進める。文字列情報を受信していなければＳ２０３に動作を戻す。Ｓ２０７では、ＣＰＵ２１は、無線通信部２５が受信した文字列情報を記憶済みの文字列情報とともに情報記憶部２４に記憶させる。こうして、ＣＰＵ２１は無線通信部２５が文字列情報を受信するたびに、その文字列情報を情報記憶部２４に記憶させる記憶制御手段としての動作を行う。ＣＰＵ２１はＳ２０７の動作を実行したのち、動作をＳ２０３に戻す。
【００６０】
こうすることにより、ワイヤレスヘッドフォン２０のユーザｕは１回の接続で複数の楽曲を試聴した場合、その試聴した各楽曲の楽曲データをオンライン購入するためのＵＲＬを複数取得することが可能となる。
【００６１】
なお、楽曲の変更は、携帯型音楽再生装置１０側の入力部１０１を操作することで行える。これに加え、ＡＶＲＣＰのパススルーコマンドである“次曲(FORWARD)”、“前曲(BACKWARD)”などをワイヤレスヘッドフォン２０側から無線で送信するによっても実現可能である。
【００６２】
上記の実施形態では、携帯型音楽再生装置１０はＢｌｕｅｔｏｏｔｈ（登録商標）による無線通信を行う無線通信部１５を搭載している。そのほか、携帯型音楽再生装置１０は、多機能な携帯電話端末、ＰＤＡ等でもよい。
【００６３】
また、ワイヤレスヘッドフォン２０はＢｌｕｅｔｏｏｔｈ（登録商標）による無線通信を行う装置であって、プロファイルとしてＡ２ＤＰ、ＡＶＲＣＰおよびその拡張機能であるメタデータ転送をサポートするものとしている。携帯型音楽再生装置１０およびワイヤレスヘッドフォン２０の双方とも、Ｂｌｕｅｔｏｏｔｈ（登録商標）にしたがい無線通信を行うが、無線ＬＡＮやＩｒＤＡモジュールしたがい無線通信を行ってもよい。
【００６４】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００６５】
【図１】本実施形態に係る無線通信システムの全体構成を示すブロック図である。
【図２】楽曲関連情報および楽曲データ購入用ＵＲＬの一例を示す図で、（ａ）はＵＲＬが独立したパラメータとなっている場合、（ｂ）はＵＲＬが曲名の一部となる場合を示している。
【図３】携帯型音楽再生装置の動作を示すフローチャートである。
【図４】携帯型音楽再生装置と、ワイヤレスヘッドフォンとで行われるデータ送信の様子を模式的に示した図である。
【図５】ワイヤレスヘッドフォンの動作を示すフローチャートである。
【図６】携帯型音楽再生装置の別の動作を示すフローチャートである。
【図７】ワイヤレスヘッドフォンの別の動作を示すフローチャートである。
【符号の説明】
【００６６】
１…無線通信システム、１０…携帯型音楽再生装置、１１、２１…ＣＰＵ
１４、２４…情報記憶部、１５、２５…無線通信部
２０…ワイヤレスヘッドフォン
【図１】
2008252453.tif 000003
【図２】
2008252453.tif 000004
【図３】
2008252453.tif 000005
【図４】
2008252453.tif 000006
【図５】
2008252453.tif 000007
【図６】
2008252453.tif 000008
【図７】
2008252453.tif 000009